(57)【要約】【課題】二次電池での電力供給停止期間中における均等化処理開始の開始時期を簡易な方式により電池状態に応じて適切に設定する。【解決手段】負荷停止時点ｔ０より待機期間Ｔｗが経過した時点ｔ１より均等化処理が開始される。待機期間Ｔｗは、固定的に設定されるのではなく、負荷停止時点ｔ０での二次電池の状態、具体的には、残容量（ＳＯＣ）および電池温度の少なくとも一方に基づいて可変に設定される。【選択図】図２
2007143214.tif 000002
【特許請求の範囲】
【請求項１】
複数の電池ユニットを備えた二次電池の制御装置であって、
負荷の停止時において、前記複数の電池ユニットのそれぞれの充電状態を均等化するための均等化回路により均等化処理を実行する手段と、
前記負荷が停止状態へ遷移するオフ時点から前記均等化処理が開始されるまでの待機期間を設定する設定手段とを備え、
前記設定手段は、前記オフ時点における、前記複数の電池ユニットの残容量および電池温度の少なくとも一方に基づいて、前記待機期間を設定する、二次電池の制御装置。
【請求項２】
前記設定手段は、前記残容量が低くなるに従って前記待機期間を相対的に長く設定する、請求項１記載の二次電池の制御装置。
【請求項３】
前記設定手段は、前記複数の電池ユニットのそれぞれの残容量のうちの最低値に基づいて、前記待機期間を設定する、請求項２記載の二次電池の制御装置。
【請求項４】
前記設定手段は、前記電池温度が低くなるに従って前記待機期間を相対的に長く設定する、請求項１記載の二次電池の制御装置。
【請求項５】
前記設定手段は、前記複数の電池ユニットのそれぞれの電池温度のうちの最低温度に基づいて、前記待機期間を設定する、請求項５記載の二次電池の制御装置。
【請求項６】
前記設定手段は、前記複数の電池ユニットのそれぞれの電池温度のうちの最低温度、および前記複数の電池ユニットのそれぞれの残容量のうちの最低値に基づいて、前記待機期間を設定する、請求項３または５記載の二次電池の制御装置。
【請求項７】
前記複数の電池ユニットの各々は、リチウムイオン電池で構成される、請求項１〜６のいずれか１項に記載の二次電池の制御装置。
【発明の詳細な説明】
【技術分野】
【０００１】
この発明は、二次電池の制御装置に関し、より特定的には、複数のセルが直列または直並列に接続された二次電池において、各セルの充電状態のばらつきを均等化する均等化処理を行なう制御装置に関する。
【背景技術】
【０００２】
電気自動車やハイブリッド自動車への搭載を始めとして、比較的高電圧の出力が必要とされる用途では、複数の二次電池セルを直列に接続することによって充放電可能な高電圧バッテリが実現される。このような二次電池構成では、充放電を繰返した長期間使用や放置を経ると、各セル単体の充電効率のばらつきやセルの置かれる環境のばらつきにより二次電池内で各セルの残容量（ＳＯＣ：State of Charge）にばらつきが発生することが指摘されている。
【０００３】
バッテリの充放電に際しては、各セルの耐久性や安全確保の観点より、ＳＯＣ値（またはセル電圧）の最も高いセルが上限値に達した時点で充電を禁止する必要がある。反対に、過放電を禁止する観点からは、ＳＯＣ値（またはセル電圧）の最も低いセルが下限値に達した時点で放電を禁止する必要がある。このため、各セルにＳＯＣばらつきが生じると、事実上、二次電池の使用可能容量が減少することになる。
【０００４】
このため、特開２００３−１８９４９０号公報（特許文献１）には、二次電池中の各セル間のＳＯＣばらつきを均等化するための均等化処理を行なうことにより、エンジン始動や実車制御システムの始動を円滑に行なうための構成が開示されている。特に特開２００３−１８９４９０号公報（特許文献１）では、走行用モータの駆動電源として用いられるバッテリの残容量均等化処理において、バッテリを構成する各セルに並列に設けられた電流バイパス回路の動作を、補機用電源の電圧または残容量に応じて制御する構成が開示されている。さらに、車両のイグニッションオフの信号を受信してから、バッテリの各セルの電圧が安定するまでの一定期間においては、バイパス回路制御部の作動を停止して、均等化処理を開始しないことも開示されている。
【特許文献１】特開２００３−１８９４９０号公報
【発明の開示】
【発明が解決しようとする課題】
【０００５】
特開２００３−１８９４９０号公報（特許文献１）も指摘するとおり、イグニッションオフの直後、すなわち二次電池からの電力供給が停止された直後での均等化処理は避けることが好ましい。なぜなら、この時点では、各セルの出力電圧が安定していないため、このような出力電圧に基づいて均等化処理を制御すれば、却って各セル間のＳＯＣばらつきを助長してしまい、特定セルの過充電・過放電を招いてしまう可能性があるからである。
【０００６】
したがって、二次電池からの電力供給停止から均等化処理開始までには、電圧が安定状態となるまでの一定の待機期間を設ける必要がある。この待機期間は、均等化処理の精度を上げるためには長く設定した方が好ましい一方で、待機期間を過長に設定すると、車両停止中（すなわち、二次電池不使用中）に均等化処理を実行する期間が十分確保できず、各セル間のＳＯＣばらつきを十分に抑制できなくなる可能性がある。
【０００７】
このため、待機期間を適切に設定するためには、二次電池からの電力供給停止後（自動車ではイグニッションオフ後）に、二次電池の出力電圧の推移を逐次監視して、電圧が安定状態となったかどうかを実測値に基づいて判定する方式も考えられる。しかしながら、この方式では、比較的緩やかな電圧変化を長期間監視し続ける必要があるため、そのための処理負荷が大きなものとなり、車両停止中にも消費電力が大きくなる点で問題がある。
【０００８】
この発明は、このような問題点を解決するためになされたものであって、この発明の目的は、二次電池による電力供給停止から均等化処理開始までの待機期間を、簡易かつ適切に設定することが可能な二次電池の制御装置を提供することである。
【課題を解決するための手段】
【０００９】
この発明による二次電池の制御装置は、複数の電池ユニットを備えた二次電池の制御装置であって、均等化回路により均等化処理を実行する手段と、設定手段とを備える。均等化回路は、負荷の停止時において、前記複数の電池ユニットのそれぞれの充電状態を均等化する均等化可能を実行する。設定手段は、負荷が停止状態へ遷移するオフ時点から前記均等化処理が開始されるまでの待機期間を設定する。さらに、設定手段は、前記オフ時点における、前記複数の電池ユニットの残容量および電池温度の少なくとも一方に基づいて、前記待機期間を設定する。
【００１０】
上記二次電池の制御装置によれば、二次電池から負荷への電力供給が停止されたオフ時点における各電池ユニットの残容量（ＳＯＣ）および電池温度に基づいて、均等化処理開始までの待機期間をバッテリ電圧が安定化するまでの所要時間（緩和時間）に対応させて適切に設定することができる。これにより、待機期間を固定値とする場合と比較して、待機期間を過長に設定して均等化処理時間の確保が困難となることを避けつつ、電池ユニットの出力電圧が安定した状態で均等化処理を開始することにより均等化処理の精度を確保できる。さらに、オフ時点後の各電池ユニットの出力電圧を監視することなく、オフ時点での電池状態（温度，ＳＯＣ）に応じて、待機期間を簡易かつ適切に設定することができる。
【００１１】
好ましくは、本発明の二次電池の制御装置では、設定手段は、前記残容量が低くなるに従って前記待機期間を相対的に長く設定する。
【００１２】
上記二次電池の制御装置によれば、各電池ユニットにおいて充電率が低くなるに従ってバッテリ電圧が安定化するまでの緩和時間が長くなることを反映して、均等化処理開始までの待機期間を適切に設定することができる。
【００１３】
さらに好ましくは、本発明の二次電池の制御装置では、設定手段は、前記複数の電池ユニットのそれぞれの残容量のうちの最低値に基づいて、前記待機期間を設定する。
【００１４】
上記二次電池の制御装置によれば、バッテリ電圧が安定化するまでの緩和時間が最も長いと予想される、残容量が最も低い電池ユニットの出力電圧が安定化してから均等化処理を開始できるので、均等化処理の精度を向上させて各電池ユニット間の残容量ばらつきを抑制できる。
【００１５】
また好ましくは、本発明の二次電池の制御装置では、設定手段は、前記電池温度が低くなるに従って前記待機期間を相対的に長く設定する。
【００１６】
上記二次電池の制御装置によれば、各電池ユニットにおいてバッテリ電圧が安定化するまでの緩和時間が電池温度が低くなるに従って長くなることを反映して、均等化処理開始までの待機期間を適切に設定することができる。
【００１７】
さらに好ましくは、本発明の二次電池の制御装置では、緩和時間が最も長いと予想される、電池温度が最も低い電池ユニットの出力電圧が安定化してから均等化処理を開始できるので、均等化処理の精度を向上させて各電池ユニット間の残容量ばらつきを抑制できる。
【００１８】
特にこのような構成では、設定手段は、前記複数の電池ユニットのそれぞれの電池温度のうちの最低温度、および前記複数の電池ユニットのそれぞれの残容量のうちの最低値に基づいて、前記待機期間を設定する。
【００１９】
上記二次電池の制御装置によれば、各電池ユニットの緩和時間に影響を与える電池温度および残容量を反映して均等化処理開始までの待機期間を設定するので、最も緩和時間が長くなる電池ユニットに合せて待機期間を適切に設定できる。
【００２０】
好ましくは、本発明の二次電池の制御装置では、複数の電池ユニットの各々は、リチウムイオン電池で構成される。
【００２１】
上記二次電池の制御装置によれば、活物質を介した充放電動作を実行するため、電池ユニットの状態によって緩和時間が大きく変化するリチウムイオン電池において、均等化処理開始までの待機期間を適切に設定して、均等化処理を高精度化できる。
【発明の効果】
【００２２】
この発明による二次電池の制御装置によれば、二次電池による電力供給停止から均等化処理開始までの待機期間を、簡易な方式により電池状態に応じて適切に設定することが可能である。
【発明を実施するための最良の形態】
【００２３】
以下において、本発明の実施の形態について図面を参照して詳細に説明する。なお、以下図中同一または相当部分には同一符号を付しその説明は原則として繰返さないものとする。
【００２４】
図１は、本発明の実施の形態に従う二次電池の制御装置であるＥＣＵ（Electronic Control Unit）によって制御される二次電池システム５の構成を説明するブロック図である。
【００２５】
図１を参照して、二次電池システム５は、二次電池１０と、二次電池１０からの電力供給を受ける負荷２０と、二次電池１０の動作を制御するＥＣＵ３０と、二次電池１０の均等化処理を行なうための均等化回路１０♯とを備える。さらに、二次電池１０および負荷２０の間には、両者の間の接続および非接続を制御するためのシステムリレーＳＲ１，ＳＲ２が設けられている。各システムリレーＳＲ１，ＳＲ２は図示しない制御信号に応じて開閉される。
【００２６】
二次電池１０は、複数の電池ユニットＢＵ１〜ＢＵ４が直列接続された構成を有する。電池ユニットＢＵ１〜ＢＵ４の各々は、単一の電池セルまたは、直列、並列あるいは直並列接続された複数個のセルから構成されている。好ましくは、各電池ユニットＢＵ１〜ＢＵ４は、同様のセル構成を有する。二次電池１０は、代表的には電気自動車やハイブリッド車両等に車両駆動用電源として搭載される。
【００２７】
電池ユニットＢＵ１〜ＢＵ４にそれぞれ並列に電圧センサ４１〜４４が設けられる。電圧センサ４１〜４４は、電池ユニットＢＵ１〜ＢＵ４のそれぞれの出力電圧Ｖ１〜Ｖ４を検出し、検出した出力電圧Ｖ１〜Ｖ４をＥＣＵ３０へ送出する。さらに、温度センサ５１〜５４が、電池ユニットＢＵ１〜ＢＵ４にそれぞれ対応して設けられる。温度センサ５１〜５４は、電池ユニットＢＵ１〜ＢＵ４のそれぞれの温度（バッテリ温度）Ｔ１〜Ｔ４を検出し、検出したバッテリ温度Ｔ１〜Ｔ４をＥＣＵ３０へ送出する。各温度センサ５１〜５４は、たとえば、対応の電池ユニットＢＵ（電池ユニットＢＵ１〜ＢＵ４を総称するもの、以下同じ）の筐体に取付けられる。
【００２８】
ＥＣＵ３０は、二次電池１０の残容量を示す充電率（ＳＯＣ）を算出するＳＯＣ演算部３１を含む。ＳＯＣ演算部３１は、ＥＣＵ３０に予め記憶されたプログラムの実行により実現される機能ブロックである。
【００２９】
ＳＯＣ演算部３１は、電圧センサ４１〜４４、温度センサ５１〜５４、および適宜配置された電流センサ（図示せず）の検出値に応じて、二次電池１０全体の残容量（ＳＯＣ）および各電池ユニットＢＵ１〜ＢＵ４単体の残容量（ＳＯＣ）を推定する。以下では、ＳＯＣ演算部３１によって推定されたＳＯＣの推定値を単にＳＯＣ値とも称する。特に、二次電池１０がリチウムイオン電池である場合には、各セルすなわち電池ユニットＢＵ１〜ＢＵ４の開放電圧（ＯＣＶ）がＳＯＣと強い相関を有することが知られているため、主に、電圧センサ４１〜４４により検知された出力電圧Ｖ１〜Ｖ４に基づいてＳＯＣ値は算出される。
【００３０】
均等化回路１０♯は、電池ユニットＢＵ１〜ＢＵ４にそれぞれ並列に設けられた放電用のバイパス回路１１〜１４を含む。バイパス回路１１は、直列接続されたスイッチ素子Ｓ１および抵抗素子Ｒ１を有し、バイパス回路１２は、直列接続されたスイッチ素子Ｓ２および抵抗素子Ｒ２を有する。同様に、バイパス回路１３は、直列接続されたスイッチ素子Ｓ３および抵抗素子Ｒ３を有し、バイパス回路１４は、直列接続されたスイッチ素子Ｓ４および抵抗素子Ｒ４を有する。スイッチ素子Ｓ１〜Ｓ４のオンおよびオフは、ＥＣＵ３０によってそれぞれ独立に制御される。
【００３１】
次に、二次電池システム５の動作について説明する。
負荷２０の動作時、電気自動車またはハイブリッド車両においてはイグニッションオン時には、システムリレーＳＲ１，ＳＲ２がオンされて、負荷２０の動作に応じて二次電池１０は充電あるいは放電される。ＳＯＣ演算部３１は、各センサからの出力に基づき、二次電池１０全体および各電池ユニットＢＵ１〜ＢＵ４のＳＯＣ値を逐次算出する。
【００３２】
負荷２０の停止時、電気自動車またはハイブリッド車両においてはイグニッションオフ時に、システムリレーＳＲ１，ＳＲ２はオフされる。システムリレーＳＲ１，ＳＲ２がオフされた電池不使用期間（負荷停止期間）において、電池ユニットＢＵ１〜ＢＵ４間の充電状態（特に残容量）のばらつきを所定範囲内とするための均等化処理が、均等化回路１０♯によって実行される。
【００３３】
均等化処理時には、バイパス回路１１〜１４のそれぞれにおいて、作動（放電動作）時にはスイッチ素子Ｓ１〜Ｓ４がオンされ、停止時にはスイッチ素子Ｓ１〜Ｓ４がオフされる。各バイパス回路１１〜１４は、作動時には対応の電池ユニットＢＵを放電させ、停止時には、対応の電池ユニットＢＵの残容量を維持する。したがって、電池ユニットＢＵ１〜ＢＵ４のＳＯＣ値に応じてスイッチ素子Ｓ１〜Ｓ４を選択的にオンさせて、残容量が相対的に高い電池ユニットで選択的に放電動作を行なわせることにより、各電池ユニットＢＵ１〜ＢＵ４の残容量（ＳＯＣ）ばらつきを低減することができる。
【００３４】
図２に示されるように、本実施の形態に従う二次電池の制御装置によれば、ＥＣＵ３０は、負荷２０の停止時に、負荷２０の停止時点ｔ０から上記均等化処理を開始する時点ｔ１までの待機期間Ｔｗを設定する。待機期間Ｔｗは、代表的には経過時間により定義される。
【００３５】
ＥＣＵ３０は、負荷の動作中および待機期間中（時点ｔ１以前）においては、スイッチ素子Ｓ１〜Ｓ４をすべてオフとして、二次電池１０の均等化処理を停止する。
【００３６】
停止時点ｔ０から待機期間Ｔｗが経過した時点ｔ１以後において、ＥＣＵ３０は、均等化処理のために、電池ユニットＢＵ１〜ＢＵ４の残容量（ＳＯＣ）が均等化されるように、スイッチ素子Ｓ１〜Ｓ４を選択的にオンまたはオフする。
【００３７】
時点ｔ１以降では、スイッチ素子Ｓ１〜Ｓ４を選択的にオン・オフさせることにより、均等化処理が実行される。均等化処理中には、ＳＯＣ演算部３１により各電池ユニットＢＵ１〜ＢＵ４のＳＯＣ値が逐次算出され、時点ｔ２において、均等化処理により電池ユニットＢＵ１〜ＢＵ４の充電状態のばらつき（すなわち、ＳＯＣ値ばらつき）が所定範囲内に収まると、均等化処理が終了されて再びスイッチ素子Ｓ１〜Ｓ４はすべてオフされる。
【００３８】
図３は、本発明の実施の形態に従う二次電池の制御装置による均等化処理制御を説明するフローチャートである。
【００３９】
図３を参照して、ＥＣＵ３０は、負荷の動作中（システムリレーＳＲ１，ＳＲ２のオン中）に、各電池ユニットＢＵ１〜ＢＵ４のバッテリ温度Ｔｂ（バッテリ温度Ｔ１〜Ｔ４を総括的に表記するもの、以下同じ）および電池ユニット毎のＳＯＣ値を取得する（ステップＳ１００）。
【００４０】
ＥＣＵ３０は、ステップＳ１１０では、負荷が停止されたかどうかを判定し、負荷の動作中（ステップＳ１１０におけるＮＯ判定時）には、ステップＳ１００を逐次実行することにより、各電池ユニットＢＵ１〜ＢＵ４のバッテリ温度Ｔｂ，ＳＯＣ値を逐次更新する。
【００４１】
電気自動車あるいはハイブリッド車両におけるイグニッションオフに相当する負荷停止時（ステップＳ１１０におけるＹＥＳ判定時）には、システムリレーＳＲ１，ＳＲ２がオフされる。さらに、ＥＣＵ３０は、ステップＳ１２０により、負荷停止から均等化処理開始までの期間を計測するためのタイマ値を初期化し、かつ計時を開始する。
【００４２】
さらに、ＥＣＵ３０は、ステップＳ１３０により、負荷停止時、すなわち負荷停止直前でステップＳ１００により取得されたバッテリ温度Ｔｂおよび／またはＳＯＣ値に基づき待機期間Ｔｗを設定する。
【００４３】
ＥＣＵ３０は、ステップＳ１２０により計時開始されたタイマ値が、ステップＳ１３０で設定された待機期間Ｔｗに到達したか否かをステップＳ１４０により逐次判定する。タイマ値が待機期間Ｔｗに達していない間（ステップＳ１４０におけるＮＯ判定時）には、タイマによる計時が継続される（ステップＳ１４５）。
【００４４】
一方、タイマ値が待機期間Ｔｗに到達した場合（ステップＳ１４０におけるＹＥＳ判定時）には、ＥＣＵ３０は、ステップＳ１５０により均等化処理を開始する。
【００４５】
これに伴い、ＥＣＵ３０は、ステップＳ１６０により、電圧センサ４１〜４４により検知された出力電圧Ｖ１〜Ｖ４に基づき、相対的に残容量（ＳＯＣ）の高い電池ユニットＢＵを放電させることによって均等化処理を実行する。上述のように、均等化処理時には、ＥＣＵ３０は、バイパス回路１１〜１４中のスイッチ素子Ｓ１〜Ｓ４を選択的にオンする。
【００４６】
均等化処理の実行中、ＥＣＵ３０は、ステップＳ１７０により、電池ユニットＢＵ１〜ＢＵ４間での充電状態（すなわち、ＳＯＣ値）が均一化されたかどうかを逐次判定する。具体的には、ステップＳ１７０では、電池ユニットＢＵ１〜ＢＵ４間でのＳＯＣ値ばらつき（最大ＳＯＣ値−最小ＳＯＣ値）が所定以下となっているか否かが判定される。
【００４７】
ＥＣＵ３０は、各電池ユニットＢＵ間の充電状態が均一化されたと判定すると（ステップＳ１７０におけるＹＥＳ判定時）、二次電池の均等化処理を終了する。一方、ＥＣＵ３０は、各電池ユニットＢＵ間の充電状態が不均一である間（ステップＳ１７０におけるＮＯ判定時）には、ステップＳ１６０による均等化処理を継続的に実行する。
【００４８】
本発明の実施の形態によれば、負荷停止（時点ｔ０）から均等化処理開始（時点ｔ１）までの待機期間Ｔｗは、負荷停止時点におけるバッテリ温度ＴｂおよびＳＯＣ値の少なくとも一方に基づいて設定される。バッテリ温度Ｔｂに関して、待機期間Ｔｗは、図４に示すようにバッテリ温度Ｔｂが低温になるに従って相対的に長く設定される。これにより、低温時にはセルでの化学反応速度が低下するため、充放電停止からバッテリ電圧が安定化するまでの緩和時間が長くかかる現象を反映できる。
【００４９】
また、ＳＯＣ値に関して、待機期間Ｔｗは、図５に示されるように、ＳＯＣ値が低くなるに従って相対的に長く設定される。これにより、特にリチウムイオン電池において、充放電動作に関与する活物質の拡散に要する時間が、充電率（すなわちＳＯＣ）が低い場合に長くかかる現象を反映することができる。
【００５０】
図３のステップＳ１３０における待機期間Ｔｗの設定は、図４および図５に示したバッテリ温度ＴｂおよびＳＯＣ値に対する待機期間Ｔｗの特性の少なくとも一方を反映して実行される。これにより、待機期間Ｔｗの長さが、負荷停止時における電池状態から推定される、バッテリ電圧が安定するまでの所要時間（緩和時間）に対応させて可変に設定可能となる。
【００５１】
あるいは、図６に示すように、ＳＯＣ値およびバッテリ温度Ｔｂの両方に応じて待機期間Ｔｗの値が参照される二次元マップを構成してもよい。図６に示すように、このような二次元マップでは、ＳＯＣ値およびバッテリ温度が低い領域で待機期間Ｔｗが相対的に長く設定され、ＳＯＣ値およびバッテリ温度が高い領域で待機期間Ｔｗは相対的に短く設定される。
【００５２】
図４および図５に示す特性は、二次電池の種類等によって異なるので、図６に代表される待機期間Ｔｗを決定するマップの作成の際には、制御対象となる二次電池の特性を実験によって求めることが好ましい。
【００５３】
また、二次電池１０が複数の電池ユニットＢＵ１〜ＢＵ４で構成されるため、待機期間Ｔｗは、電池ユニットＢＵ１〜ＢＵ４のそれぞれのバッテリ温度Ｔ１〜Ｔ４のうちの最小値、および／または、電池ユニットＢＵ１〜ＢＵ４のそれぞれのＳＯＣ値のうちの最小値に基づいて待機期間Ｔｗを設定することが好ましい。これにより、一番緩和時間が長くバッテリ電圧の安定化までに時間のかかる電池ユニットＢＵでの電圧が安定した状態から、均等化処理を開始することが可能となる。
【００５４】
以上説明したように、本発明による二次電池の制御装置によれば、均等化処理開始までの待機期間を過大に設定して均等化処理時間の確保が困難となることを避けつつ、電池ユニットの出力電圧が安定した状態で均等化処理を開始することにより均等化処理の精度を確保できる。さらに、電圧推移の逐次監視等の負荷を発生させることなく、二次電池からの電力供給停止時の電池状態（温度および残容量）に応じて、バッテリ電圧が安定化するまでの所要時間に対応させて待機期間を簡易かつ適切に設定することができる。
【００５５】
なお、本実施の形態では、４個の電池ユニットＢＵ１〜ＢＵ４が直列接続された構成について説明したが、本発明の適用はこのような構成に限定されるものではなく、２以上の任意の複数個の電池ユニットが直列あるいは直並列に接続された構成の二次電池の均等化処理において、本発明を共通に適用できる。
【００５６】
また、二次電池１０の均等化回路１０♯について、各電池ユニットＢＵの放電のみによって均等化処理を行なう構成を例示したが、放電のためのバイパス回路に代わる充電機構を設ける構成、あるいは充電機構および放電機構（バイパス回路）の両方を用いて均等化処理を行なう構成としても、本発明の効果を享受することができる。
【００５７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５８】
【図１】本発明の実施の形態に従う二次電池の制御装置によって制御される二次電池システムの構成を説明するブロック図である。
【図２】本発明の実施の形態に従う二次電池の制御装置による均等化処理の実行タイミングを説明する図である。
【図３】本発明の実施の形態に従う二次電池の制御装置による均等化処理制御を説明するフローチャートである。
【図４】均等化処理開始までの待機期間とバッテリ温度との関係を概略的に示す概念図である。
【図５】均等化処理開始までの待機期間とＳＯＣとの関係を概略的に示す概念図である。
【図６】バッテリ温度およびＳＯＣに応じて待機期間を設定するマップの構成例を概略的に示す概念図である。
【符号の説明】
【００５９】
５  二次電池システム、１０  二次電池、１０♯  均等化回路、１１〜１４  バイパス回路、２０  負荷、３０  ＥＣＵ、３１  ＳＯＣ演算部、４１〜４４  電圧センサ、５１〜５４  温度センサ、ＢＵ１〜ＢＵ４  電池ユニット、Ｒ１〜Ｒ４  抵抗素子、Ｓ１〜Ｓ４  スイッチ素子、ＳＲ１，ＳＲ２  システムリレー、Ｔ１〜Ｔ４，Ｔｂ  バッテリ温度、ｔ０  停止時点、ｔ１  均等化処理開始時点、ｔ２  均等化処理終了時点、Ｔｗ  待機期間、Ｖ１〜Ｖ４  出力電圧（電池ユニット）。
【図１】
2007143214.tif 000003
【図２】
2007143214.tif 000004
【図３】
2007143214.tif 000005
【図４】
2007143214.tif 000006
【図５】
2007143214.tif 000007
【図６】
2007143214.tif 000008